(57)【要約】  【課題】  複数の本管を横方向に並べて設置することができ、設置の作業が行いやすいマンホール継手を提供することを課題とする。  【解決手段】  本発明のマンホール継手１は、マンホール８０の外表面８０ａに合わせて円弧状に湾曲するくら部１１と、くら部１１の湾曲の内外を貫通するように設けられる円筒部１０を有している。そして、円筒部１０は２ヵ所設けられており、円筒部１０同士の貫通方向はほぼ平行であり、２ヵ所の円筒部１０は、くら部１１の円弧の周方向に並んでいる。そして、円筒部１０には本管８１が接続され、２本の本管８１は、平行に横に並んだ状態となり、くら部１１によってシールを確実に行うことができる。【選択図】  図３
2006257731.tif 000002
【特許請求の範囲】
【請求項１】
マンホールの外表面に合わせて円弧状に湾曲するくら部と、前記くら部の湾曲の内外を貫通するように設けられ、マンホールに連結される本管を接続することが可能な円筒部とを有し、
前記円筒部は複数有しており、円筒部同士の貫通方向はほぼ平行であり、円筒部の配列は、くら部の円弧の周方向に並んでいることを特徴とするマンホール継手。
【請求項２】
くら部の湾曲の中心軸と、円筒部の中心線とのなす角度は、ほぼ直角であることを特徴とする請求項１に記載のマンホール継手。
【請求項３】
円筒部は２ヵ所に設けられており、円筒部の中心線に平行であって２ヵ所の円筒部の中心線の中間に位置する仮想中間線が、くら部の湾曲の中心軸に対して交差する位置関係となっていることを特徴とする請求項１又は２に記載のマンホール継手。
【請求項４】
複数の円筒部は同じ大きさのものが用いられていることを特徴とする請求項１〜３のいずれかに記載のマンホール継手。
【請求項５】
請求項１〜４のいずれかに記載のマンホール継手を用い、マンホールと本管を接続したことを特徴とする管接続構造。
【発明の詳細な説明】
【技術分野】
【０００１】
本発明は、マンホールと、マンホールを通過する汚水を導入又は排出するための本管とを接続するマンホール継手に関するものである。
【背景技術】
【０００２】
一般住宅等から排出される汚水は下水処理場で処理されているが、各住宅等で排出された汚水は、一旦公共下水道に流れ込んで、下水処理場まで流れる。
そして、公共下水道は、複数の本管によって管路が形成されたものであり、管路の中途部分にマンホールが設けられている。また、一般住宅等とつながる支管が、本管と接続されており、汚水は支管から本管へと流れていく。
本管は地下に埋められているので、点検などの際にはマンホールに人が入って行われる。
【０００３】
マンホールは、上部には開口が、下部には底部が設けられている筒状のものであり、通常、本管はマンホールの底部付近で接続されている。
なお、傾斜地などに配管される場合など、本管の接続部分が底部付近に接続されていない場合には、マンホール内部に本管とほぼ同径の内副管を設けて汚水の自由落下を防止し、マンホール内の汚水の飛散やマンホール底部の摩耗などを防止している。
【０００４】
そして、本管とマンホールとの接続部分は、管内の排水などが外部に漏れないようにするためシールが必要である。そのため、本管及びマンホールとの接続が可能なマンホール継手が用いられ、マンホール継手と管、及びマンホール継手とマンホールとを接続し、このシール作業を容易に行うことができるようにしている。
そして、特許文献１には、このようなマンホール継手を用いた構造が開示されている。
【０００５】
また、マンホール継手のマンホールとのシール構造には、大きく２つのタイプのものがある。第１の構造は、図５に示されるように、マンホール継手９０の外表面と、マンホール８０の貫通孔８５の内周壁８５ａとの間を接合剤８６などでシールするものである。
第２の構造は、図６に示されるように、くら型のマンホール継手９１を用い、マンホール継手９１のくら部９２とマンホール８０の外表面８０ａとの間でシールを行うものである。なお、このくら部９２の形状は、円筒形のマンホール８０の外表面８０ａに沿うように変形している。
【特許文献１】特開平７−３１７１１１号公報
【発明の開示】
【発明が解決しようとする課題】
【０００６】
本管８１の太さは、内部を流れる汚水の量に応じて選定されるが、埋設される場所の条件などにより、一定以上の太さの本管８１を埋設することができない場合がある。また、本管８１が太すぎる場合には、マンホール８０の内部に設置される内副管も太くする必要があり、内副管を設置する必要のある場合には、内副管によってマンホール８０内の空間が狭くなるため、本管８１を太くするには限界がある。このような場合、平行して２本の本管８１を設置して、多くの汚水を流すようにする方法がある。
この場合、２本の本管８１の位置関係を上下方向となるように縦に並べて設置する方法と、左右方向となるように横に並べて設置する方法がある。
【０００７】
本管を縦に並べて設置すると、上側の本管８１はマンホールの底部から離れるため、上記した内副管を設ける必要がある。また、本管に接続される支管は、本管の上部に接続さ
せる必要があるが、下側の本管に支管を接続する際に、上側の本管が邪魔になって取り付けにくく、支管の接続の自由度が小さい。
さらに、本管を敷設した後に埋め戻す際に、上下の本管の間に埋め残しができるのを防止するため、下側の本管のみを埋設した後に、上側の本管を配置して埋設するという２度の埋め戻し作業を行う必要があった。
【０００８】
本管を横に並べて設置する場合には、傾斜地などの特別な場合でない限り、内副管の設置は不要であり、敷設後の埋め戻しも一度で行うことができる。
しかし、従来のマンホール継手を、単に横方向に２ヵ所に設けるのでは、以下のような問題があった。
【０００９】
図７に示すように、マンホール８０の貫通孔８５を、貫通方向が互いに平行となるように２ヵ所に設け、それぞれの貫通孔８５にマンホール継手９４を挿入して、この貫通孔８５の内周壁８５ａとマンホール継手９４の外表面との間でシールを行う方法がある。この方法では、貫通孔８５の貫通方向がマンホール８０の中心軸に向かう方向からずれることになり、貫通孔８５の内周壁８５ａとマンホール継手９４との間のシールが不十分になりやすくなる。
【００１０】
また、図８に示すように、貫通方向がマンホール８０の円筒中心に向かう方向に貫通孔８５を２カ所設け、２個のくら型のマンホール継手９５を用いて本管８１と接続し、マンホール継手９５のくら部９２とマンホール８０の外表面８０ａとの間でシールを行う方法がある。この方法では、シール性は上記した方法より良いが、２ヵ所のマンホール継手９５の貫通方向が、互いに平行とならないので、曲がり管９６を用いて本管８１同士が平行となるようにする必要がある。また、本管８１同士間隔が長くなり、本管８１を敷設する際に、掘削幅を広くする必要があり、作業の工数がかかってしまう。
【００１１】
そこで、本発明は、複数の本管を横方向に並べて設置することができ、設置の作業が行いやすいマンホール継手を提供することを課題とする。
【課題を解決するための手段】
【００１２】
そして、上記した目的を達成するための請求項１に記載の発明は、マンホールの外表面に合わせて円弧状に湾曲するくら部と、前記くら部の湾曲の内外を貫通するように設けられ、マンホールに連結される本管を接続することが可能な円筒部とを有し、前記円筒部は複数有しており、円筒部同士の貫通方向はほぼ平行であり、円筒部の配列は、くら部の円弧の周方向に並んでいることを特徴とするマンホール継手である。
【００１３】
請求項１に記載の発明によれば、本管を接続することが可能な円筒部は複数有しており、円筒部同士の貫通方向はほぼ平行であり、円筒部の配列はくら部の円弧の周方向に並んでいるので、このマンホール継手を用いてマンホールと本管とを連結すると、本管同士は横向きに配列した状態で連結させることができ、また、くら部によりシール性を向上させることができる。
【００１４】
請求項２に記載の発明は、くら部の湾曲の中心軸と、円筒部の中心線とのなす角度は、ほぼ直角であることを特徴とする請求項１に記載のマンホール継手である。
ここで、くら部の湾曲の中心軸とは、湾曲の内側であって、くら部の円弧の中心を通過する軸のことである。また、円筒部の中心線とは、円筒の中心を通過する仮想線であり、貫通方向と平行となる。
【００１５】
請求項２に記載の発明によれば、くら部の湾曲の中心軸と、円筒部の中心線とのなす角度は、ほぼ直角であるので、このマンホール継手を用いてマンホールと本管とを連結する
と、本管はほぼ水平方向に延びるように配置することができ、曲がり管を用いる必要がない。
【００１６】
請求項３に記載の発明は、円筒部は２ヵ所に設けられており、円筒部の中心線に平行であって２ヵ所の円筒部の中心線の中間に位置する仮想中間線が、くら部の湾曲の中心軸に対して交差する位置関係となっていることを特徴とする請求項１又は２に記載のマンホール継手である。
【００１７】
請求項３に記載の発明によれば、円筒部は２ヵ所に設けられており、円筒部の中心線の中間の仮想中間線が、くら部の湾曲の中心軸に対して交差する位置関係となっているので、２ヵ所の円筒部が対称の位置関係となり、マンホールとのバランスがよい。
【００１８】
複数の円筒部は同じ大きさのものを用いることができる（請求項４）。
【００１９】
請求項５に記載の発明は、請求項１〜４のいずれかに記載のマンホール継手を用い、マンホールと本管を接続したことを特徴とする管接続構造である。
【００２０】
請求項５に記載の管接続構造によれば、敷設しやすく、シール性も良い。
【発明の効果】
【００２１】
本発明のマンホール継手を用いることにより、複数の本管を横方向に並べて設置することができ、また、設置の作業が行いやすい。
【発明を実施するための最良の形態】
【００２２】
以下さらに本発明の具体的実施例について説明する。
本発明の第１の実施形態のマンホール継手１は、図１、図２、図３に示されており、マンホール８０と本管８１との間に配置されて、本管８１をマンホール８０に接続して、マンホール８０と本管８１とを連結させるものである。
【００２３】
そして、図２に示されるように、マンホール継手１、マンホール８０及び本管８１によって管接続構造５が形成され、本管８１とマンホール８０との間に、汚水の流れる流路を形成することができる。また、管接続構造５は地中に埋設されている。
なお、マンホール８０は、上部には人が入ることが可能な開口を有しており、通常は蓋がされており、また、底の部分は封鎖されている。
【００２４】
また、本管８１には、支管８２が接続されている。そして、支管８２は、図２に示されるように、本管８１の上方に位置し、支管８２に流れる汚水を本管８１へと流すことができる構造となっている。
【００２５】
マンホール継手１は、図３に示すように、２ヵ所の円筒部１０と、くら部１１を有している。円筒部１０は円筒状であり、外側開口１５、内側開口１６を有している。くら部１１は曲板状であり、この曲率は、マンホール８０の外表面８０ａの曲率に合わせられている。
そして、円筒部１０はくら部１１を貫通するような状態で固定されており、外側開口１５は、くら部１１の湾曲の外側に位置し、内側開口１６はくら部１１の湾曲の内側に位置している。
【００２６】
円筒部１０は、内側に本管８１が挿入されて接続される部分である。
また、図３、図４に示されるように、円筒部１０の外側開口１５付近には、シール部１８が設けられている。シール部１８は、周状に外側に突出させて、内側に周状の凹部を形
成して、この部分にリング状のゴム部材１８ａを配置したものである。そして、円筒部１０に本管８１を挿入することにより、ゴム部材１８ａが本管８１の外周に密着して、円筒部１０と本管８１のシールを行うことができる。
【００２７】
円筒部１０の内側開口１６の形状は、図３、図４に示されるように、マンホール８０に取り付けた場合に、マンホール８０内に端部が飛びだすことがないように、マンホール８０の内表面８０ｂに合わせて形状に加工されている。
また、円筒部１０の外側開口１５の形状は、貫通方向の中心の仮想線である中心線Ｌ１、Ｌ２に垂直な面で切断されたような形状である。
【００２８】
マンホール継手１には２ヵ所の円筒部１０が設けられている。そして、この２ヵ所の円筒部１０の大きさは同じであり、それぞれの円筒部１０に接続される本管８１も同じ太さである。
また、図４（ａ）に示されるように、２ヵ所の円筒部１０の貫通方向の中心線Ｌ１、Ｌ２は互いに平行な関係であり、２ヵ所の円筒部１０の貫通方向は平行である。また、図４（ｂ）に示されるように、この貫通方向の中心線Ｌ１、Ｌ２と、後述する、くら部１１の湾曲の中心軸Ｚとのなす角θ３はほぼ直角である。
【００２９】
さらに、図４（ａ）に示されるように、２ヵ所の円筒部１０の貫通方向の中心線Ｌ１、Ｌ２の中間の仮想線である仮想中間線Ｌ３は、くら部１１の湾曲の中心軸Ｚと交差し、２ヵ所の円筒部１０の位置は対称となっている。また、内側開口１６の中心と中心軸Ｚとをつないだ直線と、中心線Ｌ１、Ｌ２とは傾斜角θ１、θ２で傾斜しているが、傾斜角θ１と傾斜角θ２とは等しい関係となっている。
【００３０】
また、くら部１１は、図３に示されるように、長方形状の板を長辺側を湾曲させて形成されたものである。そして、くら部１１に固定されている２ヵ所の円筒部１０の配列方向は、くら部１１の湾曲の周方向となるように配置している。
そして、円筒の軸方向を上下方向として設置されるマンホール８０に、マンホール継手１を取り付けると、円筒部１０は横方向に並んだ状態であって、円筒部１０の軸方向は水平方向となる。
【００３１】
マンホール継手１の材質は、ポリ塩化ビニル樹脂やポリエチレン樹脂などの熱可塑性樹脂が用いられているが、これらの材質以外の材質を用いることができる。
【００３２】
また、マンホール継手１は、板状の長方形状の板を湾曲させてくら部１１を作製し、これに円筒部１０を固定する位置に貫通孔１１ａを形成し、円筒部１０となる円筒を当該貫通孔１１ａに挿入し、くら部１１と円筒部１０とを接合して製作される。
【００３３】
マンホール継手１を使用して、本管８１をマンホール８０に接続する場合には、まず、マンホール継手１をマンホール８０に固定し、さらにマンホール継手１に本管８１を接続する。
なお、図３に示されるように、マンホール８０には貫通孔８５が設けられている。貫通孔８５は、削孔により形成され、この貫通孔８５の大きさは、２ヵ所の円筒部１０を同時に挿入することができる大きさであって、くら部１１より小さい大きさである。
【００３４】
マンホール継手１とマンホール８０の固定は、これらの間に接合剤８６を配することにより行われる。具体的には、マンホール継手１のくら部１１とマンホール８０の表面との間や、くら部１１の湾曲の内側の円筒部１０の表面とマンホール８０の貫通孔８５の内周壁８５ａとの間に、接合剤８６が充填される。接合剤８６の例としてはモルタルなどを用いることができる。
また、この接合剤８６は、マンホール継手１とマンホール８０との固定だけでなく、マンホール継手１とマンホール８０との間のシールを兼ねている。
【００３５】
マンホール８０をマンホール１号人孔を用い、このマンホール８０に呼び径２００ｍｍの本管８１を２本接続する場合には、マンホール継手１は以下のようなものを使用する。
くら部１１は、マンホール８０の外表面８０ａの曲率（Ｒ＝５２５ｍｍ）に湾曲させたものを用い、本管８１の外径よりもやや大きい内径の円筒部１０を準備し、くら部１１に取り付ける。
そして、くら部１１に円筒部１０の外径にほぼ等しい径の貫通孔１１ａが２ヵ所形成するが、この貫通孔１１ａ同士の間隔は２６９ｍｍ（くら部１１の円弧長）である。
【００３６】
そして、２個の円筒部１０をくら部１１に固定する。２個の円筒部１０は互いに平行となるように固定される。また、図４に示すように、２個の円筒部１０の傾斜角θ１、θ２をそれぞれ１７°１１′とし、対称となるような位置関係とする。
また、円筒部１０の内側開口１６側は、マンホール８０の内表面８０ｂの半径（Ｒ＝４５０ｍｍ）に合わせて加工される。
本発明のマンホール継手１の、くら部１１より内側の円筒部１０の表面には砂付け加工が施されている。この砂付け加工は、あらかじめ所定の砂を円筒部１０の表面に付着させておき、接合剤８６の付着性を向上させるものである。
【００３７】
そして、このようなマンホール継手１を用いて、マンホール８０と本管８１とを接続する場合には、マンホール８０とマンホール継手１の位置関係を確認して、マンホール８０を削孔して貫通孔８５を形成し、マンホール継手１をマンホール８０に固定する。
【００３８】
マンホール継手１が固定された状態では、図４に示されるように、マンホール８０に設けられた貫通孔８５内に、内側開口１６側の円筒部１０が位置している。
マンホール継手１の２ヵ所の円筒部１０には、それぞれ本管８１が挿入されるので、マンホール８０と本管８１は連結され、本管８１の内部とマンホール８０の内部とは接続されて、排水の流れる流路が形成される。
【００３９】
具体的には、１個のマンホール８０には、２個又は３個以上のマンホール継手１が固定され、各マンホール継手１には２本の本管８１が接続される。そして、少なくとも１個のマンホール継手１に接続される本管８１が汚水の上流側となり、他のマンホール継手１に接続される本管８１が汚水の下流側となり、上流側の本管８１からマンホール８０を通過して下流側の本管８１へと、汚水が流れることが可能となる。
【００４０】
上記したマンホール継手１では、円筒部１０は２ヵ所に設けられるものであったが、３ヵ所以上設けることもできる。また、円筒部１０は、異なる大きさのものを用いることができる。
【図面の簡単な説明】
【００４１】
【図１】本発明の実施形態の管接続構造の一部を示した斜視図である。
【図２】本発明の実施形態の管接続構造の全体を示した模式図である。
【図３】図１に示す管接続構造を拡大した分解斜視図である。
【図４】図１に示す管接続構造の一部分を示す図であり、（ａ）は水平方向の面で切断した断面図、（ｂ）は側面図である。
【図５】従来技術における管接続構造の一部を示す、水平方向の面で切断した断面図である。
【図６】従来技術における管接続構造の一部を示す、水平方向の面で切断した断面図である。
【図７】従来技術における管接続構造の一部を示す、水平方向の面で切断した断面図である。
【図８】従来技術における管接続構造の一部を示す、水平方向の面で切断した断面図である。
【符号の説明】
【００４２】
１    マンホール継手
５    管接続構造
１０  円筒部
１１  くら部
８０  マンホール
８１  本管
Ｌ１、Ｌ２  中心線
Ｌ３  仮想中間線
Ｚ    中心軸
【図１】
2006257731.tif 000003
【図２】
2006257731.tif 000004
【図３】
2006257731.tif 000005
【図４】
2006257731.tif 000006
【図５】
2006257731.tif 000007
【図６】
2006257731.tif 000008
【図７】
2006257731.tif 000009
【図８】
2006257731.tif 000010